(57)【要約】【課題】バインド打ち部の角度調整をより容易に行わせられるバインド打ち器を提供すること。【解決手段】バインド打ち器１は、先端が鉤状に形成されたバインド打ち部１０と、バインド打ち部１０の基端側に接続された円筒部１２と、円筒部１２の軸方向に挿入される軸部１４と、円筒部１２の両側部において軸部を支持する支持部１６と、支持部１６に連結され、共用操作棒１００連結される連結部１８と、を備え、支持部１６は、軸部１４を軸方向にスライド自在に支持するとともに、軸部１４の軸周りの回転を規制し、円筒部１２は、内周面の一部に配置され、軸周りに周回するように形成された環状部３０を有し、軸部１４は、環状部３０にかみ合うギヤ部３２を有し、軸部１４を前記軸方向にスライドさせることによって、ギヤ部３２と環状部３０とを歯合した状態又は歯合を解除した状態に切替可能である。【選択図】図３
2017099144.tif 000002
【特許請求の範囲】
【請求項１】
基端側から一方向に延び、先端が鉤状に形成されたバインド打ち部と、
前記バインド打ち部の基端側に、軸方向を前記一方向と交差する方向に向けて接続された円筒部と、
前記円筒部の前記軸方向に挿入される軸部と、
前記円筒部の両側部において前記軸部を支持する支持部と、
前記支持部に連結され、共用操作棒の先端部に連結される連結部と、を備え、
前記支持部は、前記軸部を軸方向にスライド自在に支持するとともに、前記軸部の軸周りの回転を規制し、
前記円筒部は、内周面の一部に配置され、軸周りに周回するように形成された平歯車状の環状部を有し、
前記軸部は、前記環状部にかみ合うギヤ部を有し、
前記軸部を前記軸方向にスライドさせることによって、前記ギヤ部と前記環状部とを歯合した状態又は歯合を解除した状態のいずれかの状態に切替可能であるバインド打ち器。
【請求項２】
前記環状部は、前記円筒部の軸方向の中央部に配置される請求項１に記載のバインド打ち器。
【請求項３】
前記軸部の両端部に配置され、前記軸部を操作しない状態において、前記ギヤ部と前記環状部とを歯合した状態にするコイルばねをさらに有する請求項１又は２に記載のバインド打ち器。
【発明の詳細な説明】
【技術分野】
【０００１】
本発明は、バインド打ち器に関する。
【背景技術】
【０００２】
高圧配電線を無停電で配電工事を行う活線作業には、直接活線工法と間接活線工法の二通りがある。直接活線工法は、作業員が高圧ゴム手袋等の保護具を着用して、通電中の高圧配電線に直接触れて配電工事を行う工法である。一方、間接活線工法は、作業員が絶縁操作棒（ホットスティック）等を用いて、通電中の高圧配電線に直接触れることなく配電工事を行う工法である。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持又は切断する等、作業目的に対応して、先端工具を交換できるように構成している。
【０００４】
絶縁操作棒は、障害物等に影響されることなく、確実に作業できるように、例えば、円板状の菊座部を突出する菊座アダプタを用いて、絶縁操作棒の先端部と先端工具を連結し、絶縁操作棒に対する先端工具の傾きを調整している。
【０００５】
従来より、共用操作棒と呼ばれる絶縁操作棒に、共用操作棒の先端部に設けた菊座アダプタにバインド打ち器と呼ばれる鉤状の先端工具を連結し、共用操作棒に対するバインド打ち器の傾きを任意に設定できるものが提案されている（例えば、特許文献１：特開２０１０−１１５７８号公報参照）。
【０００６】
また、従来、この種の技術として、歯車を利用し、鉤状部分の一部が歯車にかみ合っていない状態で、バインド打ち器の鉤状部分を回動させて角度調整を可能とし、鉤状部分の角度を調整した状態で歯車にかみ合わせることによって、バインド打ち器の鉤状部分が、調整された角度で維持されるものが提案されている（例えば、特許文献２：特許第５４６５７９４号公報）。
【先行技術文献】
【特許文献】
【０００７】
【特許文献１】特開２０１０−１１５７８号公報
【特許文献２】特許第５４６５７９４号公報
【発明の概要】
【発明が解決しようとする課題】
【０００８】
しかしながら、特許文献１に記載された技術において、最初に設定したバインド打ち器の鉤状部分の角度では使用勝手がよくない場合には、蝶ボルトを緩めて、改めて角度調整を行った後、蝶ボルトを締めて固定し直す作業が行われる。このように、角度調整に大変手間が掛かる。
【０００９】
また、特許文献２に記載された技術においては、バインド打ち器の鉤状部分の角度調整が容易に可能になる。しかし、作業員が所望する角度に細かく調整する場合には、作業員が、バインド打ち器の鉤状部分を押し込みながら調整する必要がある。このため、細かい角度調整には手間が掛かる。
【００１０】
本発明は、このような問題点を解決し、バインド打ち部の角度調整をより容易に行わせられるバインド打ち器を提供することを目的とする。
【課題を解決するための手段】
【００１１】
本発明は、基端側から一方向に延び、先端が鉤状に形成されたバインド打ち部と、前記バインド打ち部の基端側に、軸方向を前記一方向と交差する方向に向けて接続された円筒部と、前記円筒部の前記軸方向に挿入される軸部と、前記円筒部の両側部において前記軸部を支持する支持部と、前記支持部に連結され、共用操作棒の先端部に連結される連結部と、を備え、前記支持部は、前記軸部を軸方向にスライド自在に支持するとともに、前記軸部の軸周りの回転を規制し、前記円筒部は、内周面の一部に配置され、軸周りに周回するように形成された平歯車状の環状部を有し、前記軸部は、前記環状部にかみ合うギヤ部を有し、前記軸部を前記軸方向にスライドさせることによって、前記ギヤ部と前記環状部とを歯合した状態又は歯合を解除した状態のいずれかの状態に切替可能であるバインド打ち器に関する。
【００１２】
前記環状部は、前記円筒部の軸方向の中央部に配置されてもよい。
【００１３】
前記軸部の両端部に配置され、前記軸部を操作しない状態において、前記ギヤ部と前記環状部とを歯合した状態にするコイルばねをさらに有してもよい。
【発明の効果】
【００１４】
本発明のバインド打ち器によれば、バインド打ち部の角度調整をより容易に行わせられる。
【図面の簡単な説明】
【００１５】
【図１】本発明の一実施形態におけるバインド打ち器の外観を示す説明図である。
【図２】上記実施形態におけるバインド打ち部及び円筒部の構成を示す説明図である。
【図３】上記実施形態における円筒部の内部構成を示す説明図である。
【図４】上記実施形態のバインド打ち器における、バインド打ち部の角度を調整する手順を示す模式図である。
【図５】上記実施形態のバインド打ち器における、バインド打ち部の角度を調整する手順を示す模式図である。
【発明を実施するための形態】
【００１６】
以下、本発明のバインド打ち器の好ましい一実施形態について図面を参照しながら詳細に説明する。
【００１７】
図１は、本発明の実施形態におけるバインド打ち器１の外観を示す説明図であり、図１（ａ）は正面図、図１（ｂ）は側面図である。バインド打ち器１は、バインド打ち部１０と、円筒部１２と、軸部１４と、支持部１６と、連結部１８と、コイルばね２０、２０と、を備えている。
【００１８】
バインド打ち部１０は、鉤部１０ａと、棒部１０ｂとを備えている。鉤部１０ａは、基端部が棒状に形成され、先端部が鉤状に形成されている。棒部１０ｂは、鉤部１０ａの棒状部分から垂直方向に延びている。
【００１９】
円筒部１２は、軸方向に連続した空間を有する円筒形状の部材である。この円筒部１２は軸方向をバインド打ち部１０に垂直する方向に向けて、バインド打ち部１０の基端部に固定される。すなわち、バインド打ち部１０は、円筒部１２の外周面から、円筒部１２の軸方向に対して垂直方向に立設している。
【００２０】
軸部１４は、円筒部１２に挿入され、バインド打ち部１０を回動自在に支持する棒状部材である。
【００２１】
支持部１６は、矩形の中央板とこの中央板の両端部から立設する一対の側板とからなるＵ字形の部材である。支持部１６の一対の側板には孔部１６ａ、１６ａが形成されている。支持部１６の一対の側板の間に円筒部１２が配置され、軸部１４が、一対の側板の孔部１６ａ、１６ａ及び円筒部１２に挿入されることにより、円筒部１２に挿入された軸部１４が支持部１６によって支持される。
【００２２】
連結部１８は、片方が閉鎖された筒状部材からなり、絶縁性を有する共用操作棒１００（図５参照）の先端部が挿入されかつ連結される。また、連結部１８における閉鎖された端面が支持部１６に連結される。
【００２３】
コイルばね２０は、軸部１４の両端部にそれぞれ挿入される。ここで、軸部１４の両端部はフランジ状に構成されており、コイルばね２０は、軸部１４のフランジ部分と支持部１６の側板との間に圧縮した状態で配置されている。これにより、外力が加えられていない状態において、軸部１４の中央部と円筒部１２の中央部とは、一致した位置に配置される。そして、この状態から、例えば、作業員が軸部１４を押圧する等して、この軸部１４を軸方向の一方にスライドさせた場合であっても、その押圧を解除することにより、軸部１４の中央部が円筒部１２の中央部に位置に自動的に復帰する。
【００２４】
図２は、バインド打ち部１０及び円筒部１２の構成を示す説明図であり、図２（ａ）は正面図、図２（ｂ）は側面図である。なお、図２（ａ）において、円筒部１２については内部構造を示している。
【００２５】
円筒部１２は、環状部３０を有している。この環状部３０は、円筒部１２の内周面の軸方向の中央部に配置され、軸周りに周回するように平歯車状に形成されている。なお、円筒部１２の環状部３０の両側部は、滑らかな面に形成されている。
【００２６】
図３は、図１（ａ）における円筒部１２の内部構成を示す説明図である。
【００２７】
軸部１４は、ギヤ部３２と、支持軸部３４と、を有している。このギヤ部３２は、円柱体の両端面が緩やかな円錐状に膨らんでなる円盤状に形成されており、この円柱体の側面に平歯車が形成されている。ギヤ部３２は、環状部３０に挿入可能であり、ギヤ部３２が環状部３０に挿入された場合に、ギヤ部３２の平歯車と環状部３０の平歯車とが互いに歯合する。
【００２８】
支持軸部３４は、ギヤ部３２より細い径の略円柱状の棒状部材であり、支持軸部３４における長手方向の中央部にギヤ部３２が固定されている。また、上述したように支持軸部３４の両端部はフランジ状に形成されている。支持軸部３４は、支持部１６のＵ字幅よりも長尺であり、支持軸部３４の側面の一部には軸方向に延びる溝部（図示せず）が形成されている。また、支持部１６における孔部１６ａの縁部の一部には、孔部１６ａ内に延びる突起（図示せず）が形成されている。このため、孔部１６ａに支持軸部３４を挿入した場合、溝部に孔部１６ａの突起が係合する。したがって、軸部１４は、支持部１６によってスライド自在に支持されるとともに、軸周りに回転することが規制される。
【００２９】
このように構成されたバインド打ち器１によれば、軸部１４が操作されていない場合、図３に示すように、コイルばね２０、２０の付勢により、ギヤ部３２は円筒部１２の中央部に位置するため、ギヤ部３２と環状部３０とが互いに歯合した状態で維持される。
【００３０】
次に、本実施形態のバインド打ち器１における、バインド打ち部１０の角度を調整する手順について、図４、図５を参照しながら説明する。
【００３１】
まず、作業員は、図４に示すように、軸部１４の両端部のいずれか一方を押圧あるいは引っ張ることにより、軸部１４を軸方向にスライドさせ、この状態を維持する。この時、円筒部１２の内部においては、ギヤ部３２が環状部３０から離間しており、ギヤ部３２と環状部３０との歯合が解除され、バインド打ち部１０が回動自在になる。
【００３２】
続いて、作業員は、図５に示すように、バインド打ち部１０を回動させ、所望の角度に調整する。
【００３３】
最後に、軸部１４の押圧あるいは引っ張りを解除する。これにより、ギヤ部３２と環状部３０とが歯合してバインド打ち部１０の回動が規制され、バインド打ち部１０が所望の角度を向いた状態で固定される。
【００３４】
なお、軸部１４をスライドさせる方法としては、作業員が軸部１４を直接操作する他にも、例えば、軸部１４の一端を壁面に押し付けたり、クリップのような把持機能を有する工具を利用したりしてもよい。
【００３５】
以上説明したように構成された一実施形態のバインド打ち器１によれば、以下の効果が奏される。
【００３６】
（１）バインド打ち器１の支持部１６は、軸部１４を軸方向にスライド自在に支持するとともに、軸部１４の軸周りの回転を規制し、円筒部１２は、内周面の一部に配置され、軸周りに周回するように形成された平歯車状の環状部３０を有し、軸部１４は、環状部３０にかみ合うギヤ部３２を有する。そして、作業員がバインド打ち器１のギヤ部３２と環状部３０とが歯合している状態から、軸部１４をスライドさせて、ギヤ部３２と環状部３０との歯合を解除させる。すると、バインド打ち部１０が回動自在になるため、バインド打ち部１０の角度調整を行うことができる。さらに、軸部１４をスライドさせてギヤ部３２と環状部３０との歯合させることにより、バインド打ち部１０の回動が規制され、調整した角度で維持することができる。これにより、バインド打ち部１０の角度調整をより容易に行わせられる。
（２）環状部３０は、円筒部１２の内周面の軸方向の中央部に配置される。そのため、バインド打ち部１０の角度を変更するために、軸部１４の両端部のいずれか一方を押圧あるいは引っ張ることにより、軸部１４をスライドできる。これにより、角度調整を容易に実施することが可能になる。
（３）軸部１４の両端部にコイルばね２０、２０が配置されており、コイルばね２０、２０の付勢により、ギヤ部３２が円筒部１２の中央部に自動的に位置付けられるように構成されている。ここで、ギヤ部３２は円筒部１２の中央部に位置するため、軸部１４を操作しない状態においては、ギヤ部３２と環状部３０とが互いに歯合した状態で維持される。また、作業員が軸部１４を押圧あるいは引っ張ることにより、ギヤ部３２と環状部３０との歯合を解除してバインド打ち部１０の角度を調整した後、押圧あるいは引っ張りを解除することにより、自動的にギヤ部３２と環状部３０とが歯合する。このため、バインド打ち部１０の角度調整をより簡単に実施することが可能になる。
【００３７】
なお、本発明は上記実施形態に限定されるものではなく、本発明の目的を達成できる範囲での変形、改良等は本発明に含まれる。
【符号の説明】
【００３８】
１  バインド打ち器
１０  バインド打ち部
１２  円筒部
１４  軸部
１６  支持部
１８  連結部
２０  コイルばね
３０  環状部
３２  ギヤ部
１００  共用操作棒
【図１】
2017099144.tif 000003
【図２】
2017099144.tif 000004
【図３】
2017099144.tif 000005
【図４】
2017099144.tif 000006
【図５】
2017099144.tif 000007